(57)【要約】      （修正有）【課題】採取した水が飲用等に適しているか否かをその場で簡易的に判断することができ、日常管理用としてだけでなく、緊急時にも対応可能である水質検査セットを提供する。【解決手段】硬質素材で形成した携帯ケース１に、被検査水を収容するビーカー２と、被検査水の残留塩素を測定する携帯型の残留塩素計３と、被検査水の濁度及び色度を測定する携帯型の濁色度計４と、被検査水の導電率を測定する携帯型の導電率計５を収納した水質検査セットＡとし、採取した被検査水の残留塩素と、濁度及び色度と、導電率を検査することで、その被検査水が飲用等に適しているか否かを簡易的に且つ速やかに判断することを可能にした。【選択図】図１
0003176160.tif 000002
【実用新案登録請求の範囲】
【請求項１】
硬質素材で形成した携帯ケースに、被検査水を収容するビーカーと、被検査水の残留塩素を測定する携帯型の残留塩素計と、被検査水の濁度及び色度を測定する携帯型の濁色度計と、被検査水の導電率を測定する携帯型の導電率計を収納したことを特徴とする水質検査セット。
【請求項２】
前記携帯ケースに、各測定器を洗浄する洗浄水を充填したボトルと、各測定器の交換用電池と、各測定器の交換部品を収納したことを特徴とする請求項１に記載の水質検査セット。
【請求項３】
前記携帯ケースに、被検査水の採水器を収納し、
前記採水器が、上部の１箇所に吊索を連結した有底筒状の容器であると共に、底部に錘を備えていることを特徴とする請求項１又は２に記載の水質検査セット。
【考案の詳細な説明】
【技術分野】
【０００１】
本考案は、採取した被検査水の水質を簡易的に検査するのに用いられる水質検査セットに関するものである。
【背景技術】
【０００２】
従来における水質検査セットとしては、例えば、特許文献１に飲料水簡易水質検査キットとその飲料水簡易検査システムとして記載されているものがあった。特許文献１に記載のキットは、外装箱内に、採水容器、滅菌採水容器、採水方法説明書、宅配便返送用送付書を収納した構成である。そして、システムとして、依頼者が、水質検査キットにより採取した被検査水を水質検査者に発送し、その検査結果を電子メール等の手段で依頼者に返信してもらうものとなっている。
【先行技術文献】
【特許文献】
【０００３】
【特許文献１】特開２０１０−２０３８３２号公報
【考案の概要】
【考案が解決しようとする課題】
【０００４】
ところが、上記したような従来の水質検査セット（キット）では、水質検査自体は所定機関の水質検査者が行うことから、採取した現場で検査結果を速やかに知ることはできない。このため、従来の水質検査セットは、例えば災害などの緊急時において、分断された水道の水、各種貯水槽の水、及び井戸水等の水が、飲用等に適しているか否かをその場で判断することが不可能であるという問題点があり、このような問題点を解決することが課題であった。
【０００５】
本考案は、上記従来の課題に着目して成されたものであって、採取した水が飲用等に適しているか否かをその場で簡易的に判断することができ、日常管理用としてだけでなく、緊急時にも対応可能である水質検査セットを提供することを目的としている。
【課題を解決するための手段】
【０００６】
本考案の水質検査セットは、請求項１として、硬質素材で形成した携帯ケースに、被検査水を収容するビーカーと、被検査水の残留塩素を測定する携帯型の残留塩素計と、被検査水の濁度及び色度を測定する携帯型の濁色度計と、被検査水の導電率を測定する携帯型の導電率計を収納した構成としており、上記構成をもって従来の課題を解決するための手段としている。
【０００７】
また、本考案の水質検査セットは、請求項２として、前記携帯ケースに、各測定器を洗浄する洗浄水を充填したボトルと、各測定器の交換用電池と、各測定器の交換部品を収納したことを特徴としている。
【０００８】
さらに、本考案の水質検査セットは、請求項３として、前記携帯ケースに、被検査水の採水器を収納し、前記採水器が、上部に吊索を連結した有底筒状の容器であると共に、底部に錘を備えていることを特徴としている。
【考案の効果】
【０００９】
本考案の請求項１に係る水質検査セットは、採取した被検査水の残留塩素と、濁度及び色度と、導電率を測定することで、その被検査水が飲用等に適しているか否かを簡易的に且つ速やかに判断することができ、日常管理用としてだけでなく、緊急時における水質検査にも充分に対応することが可能である。
【００１０】
また、本考案の請求項２に係る水質検査セットは、請求項１と同様の効果を得ることができるうえに、洗浄水、交換用電池、及び交換部品を収納したので、様々な場所で水質検査を何度も行うことができる。
【００１１】
さらに、本考案の請求項３に係る水質検査セットは、上部の１箇所に吊索を連結した有底筒状の容器であり且つ底部に錘を備えた採水器を備えているので、水面まで手が届かない場所での採水を行うことができると共に、吊下げた採水器を容易に水中に入れることができ、採水作業を円滑に且つ速やかに行うことができる。
【図面の簡単な説明】
【００１２】
【図１】本考案に係る水質検査セットの一実施形態を説明する平面図である。
【図２】図１に示す携帯ケースの閉じた状態を示す側面図（Ａ）及び正面図（Ｂ）である。
【図３】各測定器を説明する各々平面図（Ａ）（Ｂ）である。
【図４】各収納ケースの内部を説明する各々平面図（Ａ）〜（Ｄ）である。
【図５】採水器を説明する断面図である。
【考案を実施するための形態】
【００１３】
以下、図面に基づいて、本考案に係る水質検査セットの一実施形態を説明する。
図１〜図５に示す水質検査セットＡは、基本装備として、硬質素材で形成した携帯ケース１に、被検査水を収容するビーカー２と、被検査水の残留塩素を測定する携帯型の残留塩素計３と、被検査水の濁度及び色度を測定する携帯型の濁色度計４と、被検査水の導電率を測定する携帯型の導電率計５が収納してある。すなわち、水質検査セットＡは、採取した水が飲用等に適しているか否かの最低限の判断ができる検査項目に対応した測定器を備えている。
【００１４】
また、水質検査セットＡは、補助装備として、各測定器（３，４，５）を洗浄する洗浄水を充填したボトル６と、各測定器（３，４，５）の交換用電池７と、各測定器（３，４，５）の交換部品８を備えていると共に、被検査水の採水器９を備えている。
【００１５】
前記携帯ケース１は、例えば硬質プラスチックで形成されたトランク型のケースであって、図２に示すように、本体部１Ａにヒンジを介して蓋部１Ｂを開閉可能に備えていると共に、取っ手１Ｃを掴んで自由に持ち運ぶことができる。この携帯ケース１は、非常に堅牢であるうえに、水密性にも優れているものである。また、携帯ケース１の外側は、暗い所でも目立つ鮮やかな色彩や模様であることが好ましく、色彩としては例えばオレンジ色である。
【００１６】
図示例の携帯ケース１は、図１中で下側となる本体部１Ａに、前記残留塩素計３、濁色度計４、及び導電率計５が収容してあると共に、複数（図示例では４個）の収納ケースＣ１〜Ｃ４が収納してある。また、携帯ケース１は、図１中で上側となる蓋部１Ｂに、前記洗浄水のボトル６、ビーカー２、及び採水器９が収納してあり、これらの他に、懐中電灯１０及び洗浄水容器１１が収納してある。蓋部１Ｂには、収納物の脱落を防止するベルト（仮想線で示す）２０が設けてある。
【００１７】
ビーカー２は、透明な硬質プラスチック製であって、採取した被検査水の色や濁りを目視で確認したり、味や臭いを判断したりするのに使用し、各測定器のセルに注水する際にも使用することができる。
【００１８】
残留塩素計３は、乾電池を電源とする周知の携帯型の測定器であって、被検査水及び試薬を充填したセルを装着して所定の操作を行うことで、被検査水中の残留塩素（遊離残留塩素）をデジタルで直読測定し、その測定値を表示するものであり、短時間での測定が可能である。また、この残留塩素計３としては、残留塩素のほか、被検査水の水素イオン指数（ｐＨ）を測定する機能を有するものを用いることもできる。残留塩素計３は、図３（Ａ）に示すように、着脱自在なクッション材３０により保護してある。
【００１９】
濁色度計４は、乾電池を電源とする周知の携帯型の測定器であって、装置に一体化されたセルに被検査水を注入して所定の操作を行うことで、被検査水の濁度及び色度をデジタルで直読測定し、これらの測定値を表示するものであり、短時間での測定が可能である。
【００２０】
導電率計５は、乾電池を電源とする周知の携帯型の測定器であって、導電率電極５Ａを被検査水に接触させて所定の操作を行うことで、被検査水の導電率をデジタルで直読測定し、これらの測定値を表示するものであり、短時間での測定が可能である。この測定値は、被検査水中の金属イオン量の目安になる。上記の濁色度計４及び導電率計５は、図３（Ａ）及び（Ｂ）に示すように、着脱自在なクッション材３０により保護されている。
【００２１】
洗浄水のボトル６は、例えば、市販のミネラルウォーター入りのペットボトルを使用することが可能であり、残留塩素計３及び濁色度計４のセルや、導電率計５の導電率電極５Ａを洗浄するのに使用する。
【００２２】
前記収納ケースＣ１〜Ｃ４には、密閉容器等の適宜の容器を使用することができる。図４（Ａ）に示す第１の収納ケースＣ１には、別の懐中電灯１７、各測定器（３，４，５）及び懐中電灯１０，１７の交換用電池７、ペン１２、折畳み式の工具１３及び水温計１８が収納してある。図４（Ｂ）に示す第２の収納ケースＣ２には、高吸収性タオル１４が収納してあり、各測定器（３，４，５）などの水濡れを拭き取るために使用する。
【００２３】
図４（Ｃ）に示す第３の収納ケースＣ３には、各測定器（３，４，５）のセルなどの交換部品８が収納してある。また、図４（Ｄ）に示す第４の収納ケースＣ４には、検査用の試薬類１５が収納してある。なお、収納ケースは、その数や大きさがとくに限定されるものではなく、上記以外にも検査に使用する適宜の物品を収納することができる。
【００２４】
採水器９は、図５に示すように、有底円筒状の容器であって、上部の１箇所に形成した穴９Ｂに図１に示す吊索１６が連結してあり、底部に錘９Ａを備えている。この採水器９は、水中に沈むように金属製であり、底部の肉厚を大きくすることで、これを錘９Ａとしている。
【００２５】
懐中電灯１０，１７は、とくに限定されるものではないが、例えば発光ダイオード（ＬＥＤ）を光源とするものを使用すれば、消費電力が小さいので長時間の使用が可能である。これらの懐中電灯１０，１７としては、携帯ケース１に対して着脱可能なものや、手にとって使用するもの、置いて使用するものなどを採用することができ、例えば、通常の手持ち型とランタン型の２種類を備えておくのがより望ましい。
【００２６】
洗浄水容器１１は、着脱可能なノズル部１１Ａを有するもので、充填した洗浄液をノズル１１Ａから噴出させることができる。この洗浄水容器１１は、前記ボトル６の洗浄水を充填して用いれば、各測定器（３，４，５）に対する被検査水の注入や洗浄をより容易に行うことができる。
【００２７】
また、携帯ケース１には、上記の各構成以外にも検査に使用する適宜の物品を収納することができ、各測定器（３，４，５）の取扱い説明書や、検査結果の判断用資料などを収納しておくことがより望ましい。
【００２８】
上記構成を備えた水質検査セットＡは、ビーカーに被検査水を採取し、残留塩素計３、濁色度計４及び導電率計５により、被検査水の残留塩素、濁度及び色度、並びに導電率を検査することで、被検査水が飲用等に適しているか否かを簡易的に且つ速やかに判断することができる。このとき、水質検査セットＡは、各測定器（３，４，５）がいずれもデジタル直読測定する携帯型のものであるから、特別な知識を有していない一般の者でも検査を行うことができる。よって、緊急時における水質検査にも充分に対応することが可能である。
【００２９】
なお、上記の水質検査セットＡは、例えば災害などの緊急時において、分断された水道の水、各種貯水槽の水、及び井戸水等の水などの水を検査するのに好適である。この水質検査セットＡは、自然水の検査にも勿論使用することが可能であるが、細菌検査等は対象外であるから、上記のような人工的に管理されている水が飲用等に適しているか否かを判断するのに非常に有効である。
【００３０】
また、上記の水質検査セットＡは、洗浄水入りのボトル６、交換用電池７、及び交換部品８を備えているので、様々な場所で水質検査を何度も行うことができる。さらに、水質検査セットＡは、上部の１箇所に吊索１６を連結した有底筒状の容器であり且つ底部に錘９Ａを備えた採水器９を備えているので、水面まで手が届かない場所での採水を容易に行うことができる。この採水器９は、水面に到達すると吊索１６の連結部分が支点となって傾くと共に、錘９Ａによって容易に水中に没することとなり、採水作業を円滑に且つ速やかに行うことができる。
【００３１】
本考案の水質検査セットは、その構成が上記実施形態のみに限定されるものではなく、本考案の要旨を逸脱しない範囲で構成の細部を適宜変更することが可能である。
【符号の説明】
【００３２】
Ａ  水質検査セット
１    携帯ケース
２    ビーカー
３    残留塩素計
４    濁色度計
５    導電率計
６    洗浄水のボトル
７    交換用電池
８    交換部品
９    採水器
９Ａ  錘
１６  吊索
【図１】
0003176160.tif 000003
【図２】
0003176160.tif 000004
【図３】
0003176160.tif 000005
【図４】
0003176160.tif 000006
【図５】
0003176160.tif 000007